(57)【特許請求の範囲】
【請求項１】
本体と、前記本体に設けられる可動顎とを備える強固な構造を有するモンキーレンチであって、
前記本体の両端に、操作部と固定顎とがそれぞれ形成され、前記操作部と前記固定顎は、それぞれ相互に遠く離れた前記本体の両端に位置し、前記本体の前記固定顎の一側に、さらに滑り溝が設けられ、前記滑り溝は、前記固定顎から離れる方向に延伸され、前記本体の前記滑り溝の前記操作部から離れる一側に、連通路が形成され、前記連通路の前記滑り溝から離れる一側は、外部と連通され、前記本体は、前記連通路の両側に、それぞれ側壁が形成され、前記２つの側壁は、それぞれ前記固定顎に連結され、前記２つの側壁の前記連通路に近接する一側に、それぞれ内壁面が形成され、前記２つの内壁面は、相互に対向し、前記２つの側壁の前記滑り溝から離れる一側に、それぞれ第１付勢面が形成され、かつ前記内壁面と前記第１付勢面との間に第１夾角が形成され、前記第１夾角の角度が９０度より小さく、
前記可動顎は、挟持部と摺動部と頸状部とを備え、前記摺動部は、前記滑り溝内に設けられ、前記頸状部は、前記連通路内に設けられ、前記挟持部の前記頸状部に近接する一側に、２つの第２付勢面が形成され、前記２つの第２付勢面は、それぞれ前記２つの第１付勢面に当接し、
前記２つの側壁は、前記可動顎に相対して自然位置と緊張位置との間に弾性変形し、前記可動顎がワークからの反作用力を受けず、前記２つの側壁が自然位置にいる際に、前記第２付勢面と前記可動顎の前記摺動部とが、同時に前記第１付勢面と前記滑り溝内の壁面とに当接することができず、前記可動顎がワークからの反作用力を受けるとき、前記２つの側壁が相互に離れる方向に移動し、前記２つの側壁が緊張位置にいる際に、前記第２付勢面は、前記第１付勢面に当接すると共に、前記可動顎の前記摺動部は、前記滑り溝内の壁面に当接することを特徴とする強固な構造を有するモンキーレンチ。
【請求項２】
前記本体は、さらに仮想二分面を有し、前記仮想二分面は、前記２つの内壁面の間に位置し、かつ前記操作部及び前記固定顎を通過し、前記第１付勢面は、前記連通路に近接する一側から前記連通路から離れる一側に向かい、かつ前記仮想二分面の垂直方向に沿う第１幅を有し、前記頸状部の両側に、それぞれ退避面が形成され、前記２つの退避面は、前記２つの内壁面の間に位置し、前記２つの退避面の間は、前記仮想二分面の垂直方向に沿う第２幅を有し、前記第１幅と前記第２幅との比が０．５〜１であることを特徴とする請求項１に記載の強固な構造を有するモンキーレンチ。
【請求項３】
前記第１幅が前記第２幅に対する比が０．７〜０．８９であることを特徴とする請求項２に記載の強固な構造を有するモンキーレンチ。
【請求項４】
前記第１幅が前記第２幅に対する比が０．７５であることを特徴とする請求項３に記載の強固な構造を有するモンキーレンチ。
【請求項５】
前記内壁面と前記第１付勢面は、相互に連結され、前記２つの側壁に相互に離れる一側に、それぞれ外壁面を有し、前記外壁面と前記第１付勢面は、相互に連結されることを特徴とする請求項２乃至４のいずれか１項に記載の強固な構造を有するモンキーレンチ。
【請求項６】
前記２つの外壁面所定の箇所に、それぞれ高部が形成され、前記２つの高部の連結線は、前記仮想二分面と垂直で、かつ前記滑り溝及び前記連通路を通過していないことを特徴とする請求項５に記載の強固な構造を有するモンキーレンチ。
【請求項７】
前記第１夾角の角度が５０度よりも大きく、前記退避面と前記第２付勢面は、相互に連結され、かつ前記退避面と前記第２付勢面との間に第２夾角が形成され、前記第２夾角の角度が５０度よりも大きいことを特徴とする請求項２乃至４のいずれか１項に記載の強固な構造を有するモンキーレンチ。
【請求項８】
前記第１夾角の角度が７０度であることを特徴とする請求項7に記載の強固な構造を有するモンキーレンチ。
【請求項９】
前記第１夾角と前記第２夾角との角度が同一であることを特徴とする請求項7に記載の強固な構造を有するモンキーレンチ。
【請求項１０】
前記本体は、さらに第１仮想軸線を有し、前記第１仮想軸線は、前記滑り溝の前記連通路に近接する一側の境界と前記連通路から離れる一側の境界との間の中央に位置し、前記滑り溝が前記第１仮想軸線の径方向に沿う第１直径を有し、前記可動顎は、さらに第２仮想軸線を有し、前記第２仮想軸線は、前記摺動部の前記頸状部に近接する一側の境界と前記頸状部から離れる一側の境界との間の中央に位置し、前記摺動部が前記第２仮想軸線の径方向に沿う第２直径を有し、前記第２直径は、前記第１直径よりも小さいことを特徴とする請求項１乃至４のいずれか１項に記載の強固な構造を有するモンキーレンチ。
【請求項１１】
前記第２付勢面が前記第１付勢面に当接するとき、前記第１仮想軸線と前記第２仮想軸線は、一直線上に位置していないことを特徴とする請求項１０に記載の強固な構造を有するモンキーレンチ。
【請求項１２】
前記固定顎は、固定挟持面を有し、前記挟持部は、可動挟持面を有し、前記可動挟持面と前記固定挟持面は、相互に対向し、前記可動顎の前記固定顎に近接する一側に、さらに補強面が形成され、前記補強面の一端が前記挟持部の可動挟持面に連結され、他端が前記摺動部に連結され、かつ前記挟持部と前記頸状部との前記補強面に隣接する一側の接合箇所は、前記補強面の両端の間に位置し、前記可動挟持面と前記補強面との間に曲がり角が形成され、前記曲がり角の角度が１２０度から１５０度の間にあることを特徴とする請求項１乃至４のいずれか１項に記載の強固な構造を有するモンキーレンチ。
【請求項１３】
前記曲がり角の角度が１４０度から１５０度の間にあることを特徴とする請求項１２に記載の強固な構造を有するモンキーレンチ。
【請求項１４】
前記本体には、さらにシャフトとウォームギアとが設けられ、前記シャフトは、前記本体内に挿入され、かつ前記シャフトは、前記滑り溝の前記連通路から離れる一側に位置し、前記ウォームギアは、前記シャフトの外周に回動可能に嵌設され、前記ウォームギアの前記滑り溝に近接する一側が前記滑り溝内に突出し、前記可動顎の前記ウォームギアに近接する一側に、歯状部が形成され、前記歯状部は、前記ウォームギアに噛合うことを特徴とする請求項１乃至４のいずれか１項に記載の強固な構造を有するモンキーレンチ。
【発明の詳細な説明】
【技術分野】
【０００１】
本発明は、主にモンキーレンチに係り、特に、強固な構造を有するモンキーレンチに関するものである。
【背景技術】
【０００２】
従来のモンキーレンチは、いずれも本体と、可動顎とを有する。本体の一端には、握持端が形成され、握持端は、モンキーレンチを揺動する際に使用者が握持して操作するためのものである。本体の他端には、固定顎が形成され、可動顎は、本体の固定顎に近接する一端に設けられる。本体の固定顎の一側に、滑り溝が設けられ、可動顎は、滑り溝内に設けられると共に、本体に相対して摺動することができる。滑り溝内に設けられる可動顎の一側に、ラックギヤが形成され、本体には、ウォームギアが設けられている。ウォームギアが可動顎のラックギヤに噛合うので、ウォームギアを回動させることにより、可動顎が固定顎に近接したり、離れたりするように連動させることができる。
【発明の概要】
【発明が解決しようとする課題】
【０００３】
しかしながら、一般のモンキーレンチにおいて、部品同士の間に隙間がある。可動顎と滑り溝との間に適量の隙間がなければ、可動顎を本体に対して円滑に摺動させることができず、かつウォームギアと可動顎との間にも隙間がなければ、ウォームギアを可動顎に対して円滑に回動させることができない。それにより、可動顎が自然状態になっている間、可動顎が本体に相対して遊動することができるので、固定顎と可動顎との間の距離を精密に調節することができない。すなわち、モンキーレンチを使用する時、固定顎と可動顎とがねじ又はナットの付勢面に正確に当接することができないので、ねじヘッド又はナットの角隅が磨耗しやすくなる等の問題点が生じる。また、モンキーレンチを長時間使用すると、ねじ又はナットに損傷を与える恐れがあり、かつその損傷により、ねじまたはナットを一般のレンチで回動させて取り外すことができなくなる。
【課題を解決するための手段】
【０００４】
本発明に係る強固な構造を有するモンキーレンチの主な目的は、本体と可動顎とを備えるモンキーレンチを提供することにある。本体の両端に、操作部と固定顎とがそれぞれ形成され、操作部と固定顎は、それぞれ本体の相互に遠く離れた両端に位置している。本体の固定顎の一側に、さらに滑り溝が設けられ、滑り溝は、固定顎から離れる方向に延伸されている。本体の滑り溝の操作部から離れる一側に、連通路が形成され、連通路の滑り溝から離れる一側は、外部と連通されている。本体の連通路の両側に、それぞれ側壁が形成され、前記２つの側壁は、それぞれ固定顎に連結されている。前記２つの側壁の連通路に近接する一側に、それぞれ内壁面を有し、前記２つの内壁面は、相互に対向している。前記２つの側壁の滑り溝から遠く離れる一側に、それぞれ第１付勢面を有し、かつ内壁面と第１付勢面との間に第１夾角が形成され、第１夾角の角度が５０度から９０度の間にある。可動顎は、本体に設けられ、可動顎は、挟持部と摺動部と頸状部とを備える。摺動部は、滑り溝内に設けられ、頸状部は、連通路内に設けられる。挟持部の頸状部に近接する一側に、２つの第２付勢面が形成され、前記２つの第２付勢面は、それぞれ前記２つの第１付勢面に当接する。内壁面と第１付勢面との間に５０度から９０度の間にある第１夾角が形成されているので、モンキーレンチがワークからの反作用力を受けるとき、可動顎の挟持部及び摺動部が前記本体の２つの側壁を緊迫することができ、モンキーレンチを揺動操作する過程において、可動顎が本体に相対して摺動することを避けることができる。
【図面の簡単な説明】
【０００５】
【図１】本発明の強固な構造を有するモンキーレンチの第１の実施例を示す外観斜視図である。
【図２】本発明の強固な構造を有するモンキーレンチの第１の実施例を示す分解斜視図である。
【図３】本発明の強固な構造を有するモンキーレンチの第１の実施例を示す側面図である。
【図４】本発明の図３の４−４線に沿って得られる断面構造図である。
【図５】本発明の強固な構造を有するモンキーレンチの第１の実施例の側壁が自然位置での使用状態を示す図である。
【図６】本発明の強固な構造を有するモンキーレンチの第１の実施例の側壁が自然位置での使用状態を示す局部的拡大図である。
【図７】本発明の強固な構造を有するモンキーレンチの第１の実施例の側壁が弾性変形による緊張位置に至る動作を示す図である。
【図８】本発明の強固な構造を有するモンキーレンチの第２の実施例を示す分解斜視図である。
【図９】本発明の強固な構造を有するモンキーレンチの第２の実施例を示す局部的拡大断面構造図である。
【発明を実施するための形態】
【０００６】
図１〜図４は、それぞれ本発明の強固な構造を有するモンキーレンチの第１の実施例の外観斜視図、分解斜視図、側面図及び断面構造図である。これらの図に示すように、本発明のモンキーレンチ１０は、本体２０と、可動顎３０とを備える。
【０００７】
前記本体２０の両端に、操作部２１と固定顎２２とがそれぞれ形成され、前記操作部２１と前記固定顎２２は、それぞれ前記本体２０の相互に遠く離れた両端に位置し、前記操作部２１は、使用者が握持して操作するためのものである。前記固定顎２２は、固定挟持面２２１を有し、前記本体２０の前記固定顎２２の固定挟持面２２１の一側には、滑り溝２３が設けられている。前記滑り溝２３は、前記固定顎２２から離れる方向に延伸されている。前記本体２０において、滑り溝２３の前記操作部２１から離れる一側には、連通路２４が形成され、前記連通路２４の前記滑り溝２３から離れる一側は、外部と連通されている。
【０００８】
前記本体２０の連通路２４の両側に、それぞれ側壁２５が形成され、前記２つの側壁２５は、それぞれ前記固定顎２２に連結されている。前記２つの側壁２５の前記連通路２４に近接する一側に、それぞれ内壁面２５１が形成され、前記２つの内壁面２５１は、相互に対向している。前記２つの側壁２５の前記滑り溝２３から離れる一側に、それぞれ第１付勢面２５２が形成され、かつ前記内壁面２５１と前記第１付勢面２５２とは、相互に連結されている。前記内壁面２５１と前記第１付勢面２５２との間に第１夾角θ１が形成され、前記第１夾角θ１の角度は、９０度より小さく、かつ５０度より大きい。本実施例において、前記第１夾角θ１の角度が７０度である。前記２つの側壁２５の外側には、それぞれ外壁面２５３が形成され、前記外壁面２５３と前記第１付勢面２５２は、相互に連結されている。前記２つの外壁面２５３の所定の箇所には、それぞれ高部２５４が形成されている。
【０００９】
前記本体２０は、さらに仮想二分面Ｐを有し、前記仮想二分面Ｐは、前記２つの内壁面２５１の間に位置し、かつ前記操作部２１及び前記固定顎２２を通過する。前記２つの高部２５４の連結線は、前記仮想二分面Ｐと垂直で、かつ前記滑り溝２３及び前記連通路２４を通過していない。前記第１付勢面２５２は、前記連通路２４に近接する一側から前記連通路２４から離れる一側に向かい、かつ前記仮想二分面Ｐの垂直方向に沿う、第１幅Ｗ１を有する。前記本体２０は、さらに第１仮想軸線Ｘを有し、前記第１仮想軸線Ｘは、前記滑り溝２３の前記連通路２４に近接する一側の境界と前記連通路２４から離れる一側の境界との間の中央に位置し、前記滑り溝２３は、前記第１仮想軸線Ｘの径方向に沿う、第１直径Ｄ１を有する。
【００１０】
前記本体２０には、さらにシャフト２６とウォームギア２７とが設けられる。前記シャフト２６は、前記本体２０内に挿入され、かつ前記滑り溝２３の前記連通路２４から離れる一側に位置する。前記ウォームギア２７は、前記シャフト２６の外周に回動可能に嵌設され、前記ウォームギア２７の前記滑り溝２３に近接する一側が前記滑り溝２３内に突出する。
【００１１】
前記可動顎３０は、前記本体２０に設けられ、前記可動顎３０は、挟持部３１と摺動部３２と頸状部３３とを備える。前記挟持部３１は、可動挟持面３１１を有し、前記可動挟持面３１１と前記固定挟持面２２１は、相互に対向する。前記摺動部３２が前記滑り溝２３内に設けられ、前記頸状部３３が前記連通路２４内に設けられることにより、前記可動顎３０が前記固定顎２２に相対して摺動し、前記固定顎２２に近接したり、離れたりすることができる。
【００１２】
前記挟持部３１の前記頸状部３３に近接する一側に、２つの第２付勢面３１２が形成され、前記２つの第２付勢面３１２は、それぞれ前記２つの第１付勢面２５２に当接する。前記頸状部３３の両側に、それぞれ退避面３３１が形成され、前記退避面３３１と前記第２付勢面３１２は、相互に連結されている。前記退避面３３１と前記第２付勢面３１２との間に第２夾角θ２が形成され、前記第２夾角θ２の角度は、９０度より小さく、かつ５０度から９０度の間にある。本実施例において、前記第１夾角θ１と前記第２夾角θ２とが同一である。
【００１３】
前記２つの退避面３３１は、前記２つの内壁面２５１の間に位置し、前記２つの退避面３３１の間は、前記仮想二分面Ｐの垂直方向に沿う、第２幅Ｗ２を有する。前記第１幅Ｗ１が前記第２幅Ｗ２に対する比が０．５〜１である。本実施例において、前記第１幅Ｗ１が前記第２幅Ｗ２に対しる比が０．７〜０．８９である。前記第１幅Ｗ１が前記第２幅Ｗ２に対する比が０．７５であることが好ましい。
【００１４】
前記可動顎３０は、さらに第２仮想軸線Ｙを有し、前記第２仮想軸線Ｙは、前記摺動部３２の前記頸状部３３に近接する一側の境界と前記頸状部３３から離れる一側の境界との間の中央に位置する。前記摺動部３２は、前記第２仮想軸線Ｙの径方向に沿う第２直径Ｄ２を有し、前記第２直径Ｄ２は、前記第１直径Ｄ１よりも小さく、かつ前記第２付勢面３１２が前記第１付勢面２５２に当接するとき、前記第１仮想軸線Ｘと前記第２仮想軸線Ｙが一直線上に位置していない。
【００１５】
前記可動顎３０の前記ウォームギア２７に近接する一側に、歯状部３４が形成され、前記歯状部３４が前記ウォームギア２７に噛合うので、前記ウォームギア２７を回動させることにより、前記可動顎３０を移動させることができる。
【００１６】
図５〜図７は、それぞれ本発明の強固な構造を有するモンキーレンチの第１の実施例の使用状態を示す図、その局部的拡大図及び動作図である。これらの図に示すように、前記モンキーレンチ１０を使用するとき、まず、前記モンキーレンチ１０の固定顎２２及び可動顎３０をワーク９０の両側に合わせる。本実施例において、ワーク９０の例としてねじを挙げる。次は、前記可動顎３０を移動させて、前記固定挟持面２２１と前記可動挟持面３１１とでワーク９０を挟持する。その後、前記操作部２１で前記モンキーレンチ１０を回することで、ワーク９０を回動させることができる（図５参照）。
【００１７】
モンキーレンチ１０を揺動操作する過程において、ワーク９０が前記本体２０及び前記可動顎３０に反作用力を与えるので、前記２つの側壁２５が前記可動顎３０に相対して、自然位置と緊張位置との間で弾性変形することができる。前記可動顎３０がワーク９０からの反作用力を受けず、前記２つの側壁２５が自然位置にいる際に、前記第２付勢面３１２と前記可動顎３０の摺動部３２とが、同時に前記第１付勢面２５２と前記滑り溝２３内の壁面とに当接することができない（図６参照）。一方、前記可動顎３０がワーク９０からの反作用力を受けるとき、前記２つの側壁２５が緊張位置の方向に移動する。前記２つの側壁２５が緊張位置の方向に移動するとき、前記２つの側壁２５が相互に離れる方向に移動する。前記２つの側壁２５が緊張位置にいる際に、前記第２付勢面３１２は、前記第１付勢面２５２に当接すると共に、前記可動顎３０の摺動部３２は、前記滑り溝２３内の壁面に当接する（図７参照）。
【００１８】
前記２つの側壁２５が自然位置にいる際には、前記可動顎３０の摺動部３２が前記滑り溝２３内の壁面に接触していないため、前記可動顎３０が前記本体２０に相対して円滑に移動することができ、使用者が前記可動顎３０の位置を円滑に調整することができる。一方、前記２つの側壁２５が緊張位置にいる際には、前記第２付勢面３１２が前記第１付勢面２５２に当接すると共に、前記可動顎３０の摺動部３２が前記滑り溝２３内の壁面に当接するので、前記可動顎３０が前記本体２０に緊密に挟み込まれる効果を得ることができる。前記可動顎３０は、前記挟持部３１及び前記摺動部３２で同時に前記本体２０の２つの側壁２５を緊迫することができるので、モンキーレンチ１０を揺動操作する過程において、前記可動顎３０が前記本体２０に相対して摺動するのを避けることができる。すなわち、前記固定挟持面２２１と前記可動挟持面３１１との間の距離が固定されることで、ワーク９０が磨損及び変形することを有効に避けることができる。
【００１９】
また、前記内壁面２５１と前記第１付勢面２５２との間に９０度より小さい前記第１夾角θ１が形成されているので、モンキーレンチ１０がワークからの反作用力を受けるとき、可動顎３０の挟持部３１及び摺動部３２が前記本体２０の２つの側壁２５を緊迫することができる。他に、前記可動顎３０は、前記２つの第２付勢面３１２を用いて、前記本体２０の２つの側壁２５の変形を制限することができる。すなわち、前記２つの側壁２５の弾性変形が所定の弾性限度を超えることを防ぐので、前記２つの側壁２５が弾性変形しても自動的に自然位置に戻ることができる（図５参照）。
【００２０】
さらに、前記可動顎３０により前記本体２０的２つの側壁２５の過剰な変形を有効に制限することができるので、前記２つの側壁２５の厚さを縮小させることができる。前記第１幅Ｗ１が前記第２幅Ｗ２に対する比が０．５〜１である場合、前記本体２０が十分な構造強度を有することを確保することができ、前記本体２０の体積及び厚さを縮小させることができる。これにより、本発明のモンキーレンチ１０を空間の狭い部位に入れて作業を行うことができる。
【００２１】
図８及び図９は、それぞれ本発明の強固な構造を有するモンキーレンチの第２の実施例の分解斜視図及び局部的拡大断面構造図である。図に示されるとおり、本発明の第２の実施例と第１の実施例との主な相違点は、前記可動顎３０ａの前記固定顎２２ａに近接する一側に、さらに補強面３５ａが形成されていることにある。前記補強面３５ａの一端が前記挟持部３１ａの可動挟持面３１１ａに連結され、他端が前記摺動部３２ａに連結されている。前記挟持部３１ａと前記頸状部３３ａとの接合箇所は、前記補強面３５ａの両端の間に位置する。その他の基本的な構成は第１の実施例とほぼ同じである。前記可動挟持面３１１ａと前記補強面３５ａとの間に曲がり角Ａが形成され、前記曲がり角Ａの角度が１２０度から１５０度の間にある。本実施例において、前記曲がり角Ａの角度が１４０度から１５０度の間にある。
【００２２】
前記可動顎３０ａの可動挟持面３１１ａと前記補強面３５ａとの間の前記曲がり角Ａが前記挟持部３１ａ上に位置するので、前記挟持部３１ａの厚さが前記頸状部３３ａの厚さよりも大きい。これにより、前記モンキーレンチ１０ａを揺動操作する時、前記挟持部３１ａと前記頸状部３３ａとの接合箇所に応力が集中するのを有効に避けることができる。従って、前記可動顎３０ａの構造強度を増加させることができるので、前記可動顎３０ａが受力過大によって断裂されることを避けることができる。
【００２３】
なお、上記のように、本発明の利点を以下にまとめる。
【００２４】
本発明に係る強固な構造を有するモンキーレンチは、本体と可動顎とを備える。本体の両端に、操作部と固定顎とがそれぞれ形成され、操作部と固定顎は、それぞれ本体の相互に遠く離れた両端に位置している。本体の固定顎の一側に、さらに滑り溝が設けられ、滑り溝は、固定顎から離れる方向に延在伸されている。本体の滑り溝の操作部から離れる一側に、連通路が形成され、連通路の滑り溝から離れる一側は、外部と連通されている。本体の連通路の両側に、それぞれ側壁が形成され、前記２つの側壁は、それぞれ固定顎に連結されている。前記２つの側壁の連通路に近接する一側に、それぞれ内壁面を有し、前記２つの内壁面は、相互に対向する。前記２つの側壁の滑り溝から離れる一側に、それぞれ第１付勢面を有し、かつ内壁面と第１付勢面との間に第１夾角が形成され、第１夾角の角度が５０度から９０度の間にある。可動顎は、本体に設けられ、可動顎は、挟持部と摺動部と頸状部とを備える。摺動部は、滑り溝内に設けられ、頸状部は、連通路内に設けられる。挟持部の頸状部に近接する一側に、２つの第２付勢面が形成され、前記２つの第２付勢面は、それぞれ前記２つの第１付勢面に当接する。内壁面と第１付勢面との間に５０度から９０度の間にある第１夾角が形成されているので、モンキーレンチが受力するとき、可動顎の挟持部及び摺動部が前記本体の２つの側壁を緊迫することにより、モンキーレンチを揺動操作する過程において、可動顎が本体に相対して摺動することを避けることができる。
【符号の説明】
【００２５】
１０：モンキーレンチ
２０：本体
２１：操作部
２２：固定顎
２２１：固定挟持面
２３：滑り溝
２４：連通路
２５：側壁
２５１：内壁面
２５２：第１付勢面
２５３：外壁面
２５４：高部
２６：シャフト
２７：ウォームギア
３０：可動顎
３１：挟持部
３１１：可動挟持面
３１２：第２付勢面
３２：摺動部
３３：頸状部
３３１：退避面
３４：歯状部
９０：ワーク
１０ａ：モンキーレンチ
２２ａ：固定顎
３０ａ：可動顎
３１ａ：挟持部
３１１ａ：可動挟持面
３２ａ： 摺動部
３３ａ：頸状部
３５ａ：補強面
Ｄ１：第１直径
Ｄ２：第２直径
Ｗ１：第１幅
Ｗ２：第２幅
θ１：第１夾角
θ２：第２夾角
Ａ：曲がり角
Ｐ：仮想二分面
Ｘ：第１仮想軸線
Ｙ：第２仮想軸線
【図１】
0005946562.tif 000002
【図２】
0005946562.tif 000003
【図３】
0005946562.tif 000004
【図４】
0005946562.tif 000005
【図５】
0005946562.tif 000006
【図６】
0005946562.tif 000007
【図７】
0005946562.tif 000008
【図８】
0005946562.tif 000009
【図９】
0005946562.tif 000010